【事件の表示】
　平成１１年特許願第２８２７９７号「乗物用チャイルドシート」拒絶査定不服審判事件〔平成１３年　４月１７日出願公開、特開２００１−１０５９４４号〕について、次のとおり審決する。
【結　論】
　本件審判の請求は、成り立たない。
【理　由】
１．手続の経緯
　本願は、平成１１年１０月４日の出願であって、平成１４年１０月８日付け（発送日：平成１４年１０月１７日）で拒絶査定がされ、これに対し、平成１４年１１月１８日に拒絶査定に対する審判請求がなされるとともに、同年１２月１７日付けで手続補正がなされたものである。
　
２．平成１４年１２月１７日付けの手続補正についての補正却下の決定
［補正却下の決定の結論］
　　平成１４年１２月１７日付けの手続補正を却下する。
［理由］
（１）補正後の本件発明
　本件補正により、特許請求の範囲の請求項１は、
「座部と背もたれ部とを有するとともに、左右側部に手のせ部を有し、乗物の座席部に固定し得るように構成した乗物用チャイルドシートにおいて、
　使用時において子供の頭を覆う帽子状のサンシェードを前記背もたれ部若しくは背もたれ部の上部位置に前方に向けて着脱自在に突設し、このサンシェードは、下方が開口した帽子状とし、背面側に設けた止着位置に雌雄テープを設けて着脱自在に止着できるように構成し、この雌雄テープでの止着位置を選択することでサンシェードの取り付け高さを調整し得るように
構成し、
　
前記左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け、
　
前記手のせ部の先端部の側部外方から被覆して止着することで、この手のせ部の外面を覆うクッション性を有する手のせカバーを着脱自在に設け、この手のせカバーは、ボクシンググローブのように基端部が小径で先端部が大径で膨出状のクッション性が良好となる形状とし、
　前記座部の左右前方に足のせ部を突設し、少なくとも前記サンシェードのデザインと前記手のせカバーのデザインと前記足のせ部のデザインとにより、前記サンシェードを頭部若しくは顔部，左右の手のせカバーを両腕部，前記足のせ部を両脚部とした動物やアニメキャラクターなどの子供が好む像形に似せた構成としたことを特徴とする乗物用チャイルドシート。」と補正された（下線は補正箇所）。
　
　上記補正は、補正前の請求項１に記載した発明を特定するために必要な事項である「手のせ部」の全体的構成について、「左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け」たものとする限定を付加し、更に、同じく発明を特定するために必要な事項である「手のせ部の外面を覆うクッション性を有する手のせカバー」の全体的構成について、「手のせ部の先端部の側部外方から被覆して止着することで、この手のせ部の外面を覆うクッション性を有する手のせカバーを着脱自在に設け、この手のせカバーは、ボクシンググローブのように基端部が小径で先端部が大径で膨出状のクッション性が良好となる形状」とする限定を付加したものであるから、特許法１７条の２第４項第２号の特許請求の範囲の減縮を目的とするものに該当する。
　
　そこで、本件補正後の前記請求項１に記載された発明（以下、「本件補正発明」という。）が特許出願の際独立して特許を受けることができるものであるか（平成１５年改正前特許法１７条の２第５項において準用する同法１２６条第４項の規定に適合するか）について以下に検討する。
　
（２）引用例
（２−１）引用例１
　原査定の拒絶の理由に引用された実願昭５８−７５０２７号（実開昭５９−１７９１２９号）のマイクロフィルム（以下、「引用例１」という。）には、図面と共に、以下の記載がされている。
　
(a) 「このシートアームは柔軟性を有しているので子供への衝撃力を柔らげることができる。加えて，シートフレームがシート本体に包含されるためシートフレームが外部に露出することがなく，またシートアームを本体のデザインの一部とすることが容易となるため，美感を向上させることができると共に子供に好かれるデザインを容易に可能とすることができ，子供を積極的にチャイルドシートに座らせることが可能となる。」（第３ページ第１２行目〜第４ページ第２行目）
　
(b)「子供はシートアーム８，９に抱かれた形となり子供をシート本体１に拘束することができるものである。」（第８ページ第７〜９行目）
　
(c)「チャイルドシートが一見したところペンギンに見え美観上好ましいものであると共に乗員となる子供に親近感を持たせやすく，容易に子供をチャイルドシートに着座させることが可能となる」（第８ページ第１８行目〜第９ページ第３行目）
　
(d)「第１〜７図に於いてチャイルドシート１は全体としてペンギンが座してくちばしを上方に向けた形状をなしており，ペンギンの下胴部を形づくり着座面を形成するシートクッション部２，ペンギンの上胴部及び頭部を形作り背もたれ面を形成するシートバック部３，ペンギンのくちばしを形づくり枕面を形成するヘッドレスト部４より構成され発泡ウレタンにて成形され黒色の表皮により覆われている。」（第４ページ第５〜１３行目）
　
(e)「シートクッション部２及びシートバック部３の着座面及び背もたれ面にはシートクッション部２及びシートバック部３より柔らかい白色のパッド６が貼付されペンギンの腹部を模しており，シートバック部３の上部後側面にはペンギンの目７が貼付されている。」（第４ページ第１８行目〜第５ページ第４行目）
　
(f)「フットレスト１９は上方に向けたペンギンの足を形づくる足のせ部２０と足のせ部２０から伸びペンギンの脚部を形づくる支持アーム２２とから構成されている。」（第７ページ第３〜６行目）
　
(g)「シートアーム８，９はシート１と一体に発泡ウレタンにより成形されているが，シートクッション部２とは発泡率を変え，シートクッション部２より柔軟性に富むように成型されている。」（第５ページ第８〜１１行目）
　
(h)「シート１を車両の座席に載せシートベルト２５を締めつけることによりシート１に座席を固定する。」（第８ページ第３〜５行目）
　
　上記引用例に記載された事項(a)ないし(h)（以下「引用例１記載事項(a)ないし(h)」という。）を総合すると、引用例１には、
　
「シートクッション部２とシートバック部３、左右側部にシートアーム８，９、シートバック部３の上部位置にヘッドレスト４を有し、車両の座席部に固定し得るように構成した車両用チャイルドシートにおいて、
　前記シートクッション部２の左右前方に足のせ部２０を突設し、
　前記シートクッション部２、シートバック部３、ヘッドレスト４、シートアーム８，９、足のせ部２０のデザインにより、
　前記シートクッション部２を下胴部、前記シートバック部３を上胴部及び頭部、前記ヘッドレスト４をくちばし、前記左右のシートアーム８，９を両翼、前記足のせ部２０を両脚部とするペンギンを模した形状とし、
　子供が好む像形に似せた構成としたことを特徴とする車両用チャイルドシート。」（以下、「引用発明」という。）が記載されていると認められる。
　
（２−２）引用例２
　同じく原査定の拒絶の理由に引用された特開平３−１３９４４５号（以下、「引用例２」という。）には、図面と共に、以下の記載がされている。
　
(i)「乗物の座席上に載置され、乗物に既設の成人用シートベルトにより位置保持されて、着座した子供の身体を拘束する子供用拘束シートにおいて、同シートの背もたれの背面側上部から側部にかけてホック式ファスナーの係合子を間隔を置いて複数個取付け、上記ファスナーの係合子と対を成す係合子を上記間隔に対応させて取り付けたサンバイザーを上記背もたれに着脱かつ取付は角度変更可能としたものである。」（第２ページ右上欄第１〜１０行目）
　
(j)「この例では、シートの背もたれ２ａの外皮Ｓにベルベット式ファスナーの環状係合子を備える係合面７を設けている。
　この例におけるサンバイザーについても、ファスナーの構成を除いては上記のものと同様のものである。そして、このサンバイザー５の係合面８は、フック状係合子を備えるものとされている。
・・・（省略）・・・
　・・・シートの背もたれの外皮Ｓの表面をベルベット式ファスナーのフック状係合子と係合可能な係合面となしている。
　この例におけるサンバイザーは、上記第２実施例のものと同一である。
　したがってこの例においては、サンバイザー５の取付け角度及び位置を任意に設定できることに特徴がある。」（第３ページ右上欄第５〜同ページ左下欄第７行目）
　
(k)第４図にはサンバイザー５の背面側に係合面８を備えることが示されている。
　
（２−３）引用例３
　同じく原査定の拒絶の理由に引用された特開昭６１−２３５２４５号（以下、「引用例３」という。）には、図面と共に、以下の記載がされている。
　
(l)「子供用の車の座席の全体の構成は第１図に見られる。支持枠は全体が符号１で示される。一体成型椅子本体は符号８で示され、これは底部４、と背部１０と、子供を包む翼状側面６とから構成される。椅子本体の内装は、子供を緩衝するように全体に変形可能な素材を詰めてある。車の座席の前面障害物はＴ字形防護体１２により形成されている。防護体１２は防護体の管部材２０のサイドマウント１６において車の座席に合体し、椅子の底部４と垂直支持体１４とが係合している。」（第３ページ左下欄第６〜１５行目）
　
(m)「防護体１２の特徴は第２図と第３図において更に明白となる。子供に接触する防護体の表面は全て詰め物で覆われている。」（第３ページ左下欄第１６〜１８行目）
　
(n)「防護体１２のほぼ垂直な部分は垂直支持体１４を形成する。垂直支持体１４は、車の座席に座った子供の足を分離し且つロック機構２８のハウジングとなる中空の剛性支柱６を備えている。」（第３ページ右下欄第４〜７行目）
　
(o)「防護体１２はサイドマウント１６の周囲に回転して、椅子の背部の上を越えて第１図に波線で示された位置へ移動する。」（第３ページ右下欄第１４〜１６行目）
　
(p)「防護体１２は、椅子８の側面に沿ってＬ字形をなし且つ防護体１２のほぼ水平な部分内でＵ字形の枠を形成している管部材２０を介してサイドマウント１６のところで枠１に回転可能に取付けられている。」（第４ページ左上欄第６〜１１行目）
　
(q)「防護体１２の支持体１４にあるロック機構２８はラッチボタン３２により片手で操作することが可能である。ラッチボタンを垂直に下方へ動かすことにより、ロックタング３０が椅子の底部４の開口部５０にあるロックの位置に押し込まれる。」 （第４ページ右上欄第１１〜１５行目）
　
(r)「開いた車の座席へ子供を座らせるため、子供は椅子８に置かれる。肩部の引き紐８が比較的きっちりと引き締められ、防護体１２が子供の前面へと回動させられる。」（第４ページ左下欄第１６〜１９行目）
　
（３）対比
（３−１）本件補正発明と引用発明との対比
　本件補正発明と引用発明を対比する。
　引用発明の「車両用チャイルドシート」はその構成や技術的意義から見て、本件補正発明の「乗物用チャイルドシート」に相当し、以下同様に、引用発明の「シートクッション部２」、「シートバック部３」、「シートアーム８，９」、及び「足のせ部２０」は、それぞれ本件補正発明の「座部」、「背もたれ部」、「手のせ部」、及び「足のせ部」に相当する。
　また、本件補正発明の「手のせカバー」は「手のせ部」の外面を覆うものであるから、「手のせ部の周辺の構成」と言い換えることができ、本件補正発明と引用発明は、共に、少なくとも手のせ部の周辺の構成のデザインにより、動物などの像形に似せた点で共通しているといえる。
　
　そうすると、両者は、
「座部と背もたれ部とを有するとともに、左右側部に手のせ部を有し、乗物の座席部に固定し得るように構成した乗物用チャイルドシートにおいて、
　前記座部の左右前方に足のせ部を突設し、
　少なくとも、前記手のせ部の周辺の構成のデザインと前記足のせ部のデザインとにより、
　動物やアニメキャラクターなどの子供が好む像形に似せた構成とした乗物用チャイルドシート。」
の点で一致し、以下の点で相違する。
　
相違点１
　本件補正発明は、「使用時において子供の頭を覆う帽子状のサンシェードを前記背もたれ部若しくは背もたれ部の上部位置に前方に向けて着脱自在に突設し、このサンシェードは、下方が開口した帽子状とし、背面側に設けた止着位置に雌雄テープを設けて着脱自在に止着できるように構成し、この雌雄テープでの止着位置を選択することでサンシェードの取り付け高さを調整し得るように構成」しているのに対し、引用発明はこのような構成を有していない点。
　
相違点２
　本件補正発明は、「左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け」ているのに対し、引用発明はこのような構成を有していない点。
　
相違点３
　本件補正発明は、「前記手のせ部の先端部の側部外方から被覆して止着することで、この手のせ部の外面を覆うクッション性を有する手のせカバーを着脱自在に設け、この手のせカバーは、ボクシンググローブのように基端部が小径で先端部が大径で膨出状のクッション性が良好となる形状とし」ているのに対し、引用発明はこのような構成を有していない点。
　
相違点４
　本件補正発明と引用発明は、「手のせ部の周辺の構成のデザインと前記足のせ部のデザインとにより、動物やアニメキャラクターなどの子供が好む像形に似せた構成」である点では共通するものの、本件補正発明は、「少なくとも前記サンシェードのデザインと前記手のせカバーのデザインと前記足のせ部のデザインとにより、前記サンシェードを頭部若しくは顔部，左右の手のせカバーを両腕部，前記足のせ部を両脚部」として子供が好む像形に似せているのに対し、引用発明は、「シートクッション部２、シートバック部３、ヘッドレスト４、シートアーム８，９、足のせ部２０、白色のパッド６、及び目７のデザインにより、シートクッション部２を下胴部、前記シートバック部３を上胴部及び頭部、前記ヘッドレスト４をくちばし、前記左右のシートアームを両翼，前記足のせ部２０を両脚部、前記白色のパッド６を腹部、前記目７を目とするペンギン」として子供が好む像形に似せている点。
　
（３−２）引用例２に記載された事項
　上記引用例２に記載された事項(i)及び(j)において、「子供用拘束シート」、「背もたれ」、「サンバイザー５」、及び「ベルベット式ファスナー」は、それぞれ本件補正発明の「チャイルドシート」、「背もたれ部」、「サンシェード」、及び「雌雄テープ」に相当することは明らかであり、上記図示された事項(k)も総合すると、引用例２には、「使用時に子供の頭を覆う帽子状」且つ「下方が開口した帽子状」のものではないものの、チャイルドシートにサンシェードを設けることが記載され、そして、詳細には、「サンシェードを前記背もたれ部若しくは背もたれ部の上部位置に前方に向けて着脱自在に突設し、このサンシェードは、背面側に設けた止着位置に雌雄テープを設けて着脱自在に止着できるように構成し、この雌雄テープでの止着位置を選択することでサンシェードの取り付け高さを調整し得るように構成」する技術手段（以下、「引用例２に記載された技術手段」という。）が記載されているものと認められる。
　
（３−３）引用例３に記載された事項
　上記引用例３に記載された事項(l)ないし(q)（以下、「引用例３記載事項(l)ないし(q)」という。）を総合し、特に、「防護体」が、「ほぼ水平な部分内でＵ字形の枠を形成している管部材２０を介してサイドマウント１６のところで枠１に回転可能に取付けられている。」（引用例３記載事項(p)）ことを参酌すると、引用例３に記載の「防護体」は、全体として、本件補正発明の「左右の手のせ部」と、この「左右の手のせ部分間」にある、「子供の上体の前方に位置する架設部」とを合わせた構成となっていることは明らかである。更に、それが「基部側を支点に上下方向に回動自在に設けてこの左右の手のせ部間の架設部を上方へ退避回動自在に構成」したものとなっていることが記載されている。
　また、上記引用例３記載事項(n)及び(q)の「ロック機構」は、本件補正発明の「固定機構」に相当するものである。
　そうすると、引用例３には、「左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け」る技術手段（以下、「引用例３に記載された技術手段」という。）が記載されているものと認められる。
　
（４）当審の判断
　始めに、引用例１記載事項 (e)には「シートクッション部２及びシートバック部３の着座面及び背もたれ面にはシートクッション部２及びシートバック部３より柔らかい白色のパッド６が貼付されペンギンの腹部を模しており，シートバック部３の上部後側面にはペンギンの目７が貼付されている」こと、更に、同記載事項 (c)には「チャイルドシートが一見したところペンギンに見え美観上好ましいものであると共に乗員となる子供に親近感を持たせやすく，容易に子供をチャイルドシートに着座させることが可能となる」ことが記載されていることから、ペンギンのみならず、他の動物やアニメキャラクター等、子供に親近感を与える様々な像形に変更してみようとすることは、当業者がごく自然に想起し得る程度の事項である。
　また、引用発明、並びに引用例２及び３に記載された技術手段は、いずれもチャイルドシートに関するものであるから、引用発明に、上記引用例２に記載されるようなサンシェードに係る技術手段、あるいは、引用例３に記載されるような手のせ部に係る技術手段を適用することは、当業者が容易に考えつくことである。
　そして、その適用にあたり、チャイルドシートの全体構造が、選択した動物やアニメキャラクターなどに模した像形となるよう、個々のデザインを種々変更したり、その取付け構造等を種々工夫する程度のことは、当業者が設計上適宜なし得る程度の事項にすぎないものであって、それにより、請求人が審判請求書で主張しているように、子供が好む像形となったとしても、そのことが自然法則を利用した技術的思想の創作に基づくものであるとは解されない。
　以上を踏まえ、上記相違点１ないし４について検討する。
　
（相違点１について）
　引用発明に、上記引用例２に記載された技術手段を単に組み合わせて、引用発明の乗物用チャイルドシートが、「サンシェードを前記背もたれ部若しくは背もたれ部の上部位置に前方に向けて着脱自在に突設し、このサンシェードは、背面側に設けた止着位置に雌雄テープを設けて着脱自在に止着できるように構成し、この雌雄テープでの止着位置を選択することでサンシェードの取り付け高さを調整し得るように構成」する点を備えるものとすることは、当業者が容易になし得ることである。
　その際に、引用例２に記載されたサンシェード（サンバイザー）は、当然使用時において子供の頭を覆う利用形態のものであること、及び下方が開口した帽子状の物がサンシェードとしての機能を有することは日常の経験から当然予測可能であることを考慮すると、サンシェードを「使用時において子供の頭を覆う帽子状」で、且つ「下方が開口した帽子状」のものとすることは、当業者による設計的事項にすぎない。
　
（相違点２について）
　引用発明に、上記引用例３に記載された技術手段を組み合わせて、引用発明の乗物用チャイルドシートが「左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け」る構成を備えるものとすることは、当業者が容易になし得ることである。
　
（相違点３について）
　引用例１記載事項(g)には、「シートアーム８，９はシート１と一体に発泡ウレタンにより成形されているが，シートクッション部２とは発泡率を変え，シートクッション部２より柔軟性に富むように成型されている」と記載され、即ち、シートアーム（手のせ部）の柔軟性を調整することが記載されている。
　一方、アームレストの外面を着脱自在のクッション体で覆うことは、実願平２−１０８３０３号（実開平４−６４２５５号公報）のマイクロフィルムに記載の如く周知である。
　してみると、引用発明のシートアームに対し、このシートアームの柔軟性を調整するために、該シートアームの外方を被覆するように、クッション性を有するカバーを着脱自在に設けることは当業者が容易になし得ることである。その際に、該クッション性を有するカバーを、シートアームの先端部の「側部外方」から被覆するものとすること、及び「ボクシンググローブのように基端部が小径で先端部が大径で膨出状のクッション性が良好となる形状とすること」に格別困難性はなく、当業者が適宜選択し得る程度のことにすぎない。
　したがって上記相違点３に係る構成とすることは当業者が容易になし得ることと認める。
　
（相違点４について）
　上述したとおり、チャイルドシートを動物やアニメキャラクターなどの子供が好む像形に似せた構成したものが公知である以上、どの動物又はアニメのキャラクターを用いるか、そして、シートのどの部分を、動物又はアニメのキャラクターのどの部分と対応させるかは、当業者が選択的し得ることである。
　そして、サンシェードのデザインを動物やアニメキャラクターの頭部もしくは顔部とすること、左右の手のせカバーのデザインを両腕部とすること、更には、足のせ部のデザインを両脚部と対応させることは、全体的バランスからみて、ごく自然なことである。
　したがって上記相違点４に係る構成とすることは当業者による設計的事項である。
  　
　上記相違点１ないし４の点を総合して判断しても、本件補正発明が当業者が予測できない格別の効果を奏するものとは認められない。
　
　したがって、本件補正発明は、引用発明、並びに引用例２および３に記載された技術手段に基づいて、当業者が容易に発明をすることができたものであるから、特許法２９条第２項の規定により特許出願の際独立して特許を受けることができないものである。
　
（５）むすび
　以上のとおり、本件補正は、平成１５年改正前特許法１７条の２第５項で準用する同法１２６条第４項の規定に違反するものであり、同法１５９条第１項において読み替えて準用する同法５３条第１項の規定により却下すべきものである。　
　
３．本願発明について
（１）本願発明
　平成１４年１２月１７日付けの手続補正は上記のとおり却下されたので、本願の請求項１に係る発明（以下、「本願発明」という。）は、平成１４年８月１２日付け手続補正書の特許請求の範囲の請求項１に記載された事項により特定される、以下のとおりのものである。
　
「座部と背もたれ部とを有するとともに、左右側部に手のせ部を有し、乗物の座席部に固定し得るように構成した乗物用チャイルドシートにおいて、
　使用時において子供の頭を覆う帽子状のサンシェードを前記背もたれ部若しくは背もたれ部の上部位置に前方に向けて着脱自在に突設し、このサンシェードは、下方が開口した帽子状とし、背面側に設けた止着位置に雌雄テープを設けて着脱自在に止着できるように構成し、この雌雄テープでの止着位置を選択することでサンシェードの取り付け高さを調整し得るように構成し、
　前記左右の手のせ部の外面を覆うクッション性を有する手のせカバーを設け、
　前記座部の左右前方に足のせ部を突設し、少なくとも前記サンシェードのデザインと前記手のせカバーのデザインと前記足のせ部のデザインとにより、前記サンシェードを頭部若しくは顔部，左右の手のせカバーを両腕部，前記足のせ部を両脚部とした動物やアニメキャラクターなどの子供が好む像形に似せた構成としたことを特徴とする乗物用チャイルドシート。」
　
（２）引用例
　原査定の拒絶の理由に引用された引用例及びその記載事項は、上記「２．（２）」に記載したとおりである。　
　
（３）対比
　本願発明は、上記２．で検討した本件補正発明の発明を特定するために必要な事項である「手のせ部」の全体的構成について、「左右の手のせ部間に子供の上体の前方に位置する架設部を設け、前記左右の手のせ部を基部側を支点に上下方向に回動自在に設けてこの左右の手のせ部間の架設部を上方へ退避回動自在に構成すると共に、この手のせ部並びに架設部を前記子供の上体の前方位置に保持する固定機構を設け」たものとする限定を省き、更に、同じく発明を特定するために必要な事項である「手のせ部の外面を覆うクッション性を有する手のせカバー」の全体的構成について、「手のせ部の先端部の側部外方から被覆して止着することで、この手のせ部の外面を覆うクッション性を有する手のせカバーを着脱自在に設け、この手のせカバーは、ボクシンググローブのように基端部が小径で先端部が大径で膨出状のクッション性が良好となる形状」とする限定を省いたものである。
　そうすると、本願発明の構成要件をすべて含み、更に他の構成要件を付加したものに相当する本件補正発明が、前記２．（４）に記載したとおり、引用発明、並びに引用例２及び３に記載された技術手段に基づいて、当業者が容易に発明をすることができたものであるから、本願発明も同様の理由により、引用発明に基づいて、当業者が容易に発明をすることができたものである。　
　
（４）むすび
　以上のとおり、本願発明は、その出願前に日本国内又は外国において頒布された刊行物に記載された発明に基づいて、当業者が容易に発明をすることができたものであるから、特許法第２９条第２項の規定により特許を受けることができない。
　　よって、結論のとおり審決する。